(57)【要約】【課題】    原木から芯を含む所望の角形断面を備えた角材を取り出すと共に、残りの辺材から該角材と同寸の角形断面を有する角材を得ることを可能とする中空集成角材及びその製造方法を提供すること。【解決手段】  断面台形状の４本の棒状材１４を用いて形成され、中央に長手方向に延びる中空部１１を有する中空集成角材１０であり、各棒状材１４は、断面形状の台形の長辺を形成する面１４ａが中空集成角材１０の外表面を形成し、前記台形の短辺を形成する面１４ｂが中空部１１の内壁面を形成しており、４本の棒状材１４は、隣接する棒状材の前記台形の斜辺を形成する面１４ｃ，１４ｃ同士が接合されて一体化されている。【選択図】      図１
2006082471.tif 000002
【特許請求の範囲】
【請求項１】
断面台形状の４本の棒状材を用いて形成され、中央に長手方向に延びる中空部を有する中空集成角材であって、
前記各棒状材は、断面形状の台形の長辺を形成する面が中空集成角材の外表面を形成し、前記台形の短辺を形成する面が前記中空部の内壁面を形成しており、
前記４本の棒状材は、隣接する棒状材の前記台形の斜辺を形成する面同士が接合されて一体化されていることを特徴とする中空集成角材。
【請求項２】
中空集成角材は、断面正方形状であり、各棒状材は、前記台形の長辺と該長辺の両側に位置する２つの斜辺とのなす角度がそれぞれ４５度である請求項１記載の中空集成角材。
【請求項３】
請求項１又は２記載の中空集成角材の製造方法であって、
原木を、互いに平行な一対の面と、これらに垂直で且つ互いに平行な他の一対の面とで長手方向に切断して、断面四角形状の芯持ち角材を切り出す工程、芯持ち角材を切り出した後の残りの部分から、断面台形状で、その断面形状の台形の長辺の長さが、前記芯持ち角材の各側面の幅と略等しい長さの４本の棒状材を得る工程、及び、４本の前記棒状材を、前記台形の長辺を形成する面を外側に向けると共に前記台形の短辺を形成する面を内側に向けて配し、隣接する棒状材の、前記台形の斜辺を形成する面同士を接着剤を介して接合させる工程を具備することを特徴とする、中空集成角材の製造方法。
【発明の詳細な説明】
【技術分野】
【０００１】
本発明は、中空集成角材及びその製造方法に関し、詳しくは、中央に長手方向に延びる中空部を有する中空集成角材及びその製造方法に関する。
【背景技術】
【０００２】
従来、住宅用の柱、梁、土台等に用いられる角材としては、通直で十分に太い丸太から角材を製材し、期間を掛けて自然に乾燥させたものが広く用いられてきた。また、近年になって、十分に太い丸太の入手が困難となってきたため、細い丸太の外周をそぎ落とすように製材して、丸太の芯を含む角材を得、これを住宅用の柱、梁、土台等として用いるようになった。さらに、欠点の多い製材品から欠点を除去して木取り、無欠点の小幅で短小な木取り品を得、それを縦横接着して得られる集成材を、住宅用の柱、梁、土台等に用いることも行われている。
【０００３】
また、製材を原木から効率良く得るようにして歩留まりを向上させた技術が開示されており（例えば、特許文献１参照）、特許文献１に記載の発明によれば、原木の中心部から略正方形断面の角材を太い棒材として取り出すと共に、この角材の周囲のラス材から集成材用の板材を取り出して、これらの板材を接着剤を介して張り合わせることにより、敷居材や鴨居等として使用できる材が得られる。
【０００４】
さらにまた、特許文献２には、４本の棒状材を用いて形成され、中央に長手方向に延びる中空部を有する中空集成角材が記載されている。
【０００５】
【特許文献１】特開２００４−７４４４４号公報
【特許文献１】特表平１０−５３７０９３号公報
【発明の開示】
【発明が解決しようとする課題】
【０００６】
上述したように、従来、比較的径の細い丸太（原木）から、柱、梁、土台等として用い得る角材を製材することは行われている。
しかしながら、丸太（原木）から芯を含む角材を取り出した残りの部分である辺材は、曲げや圧縮などの強度特性に優れているにもかかわらず、特許文献１のように、ラス板や間柱等、強度をさほど必要としない部材に用いられることが多かった。
また、特許文献２記載の中空集成角材は、丸太（原木）から芯を含む角材を取り出した後の辺材を有効活用できるものではなかった。
【０００７】
本発明の目的は、原木から芯を含む所望の角形断面を備えた角材を取り出すと共に、残りの辺材から該角材と同寸の角形断面を有する角材を得ることを可能とする中空集成角材及びその製造方法を提供することにある。
【課題を解決するための手段】
【０００８】
本発明は、断面台形状の４本の棒状材を用いて形成され、中央に、長手方向に延びる中空部を有する中空集成角材であって、前記各棒状材は、断面形状の台形の長辺を形成する面が中空集成角材の外表面を形成し、前記台形の短辺を形成する面が前記中空部の内壁面を形成しており、前記４本の棒状材は、隣接する棒状材の前記台形の斜辺を形成する面同士が接合されて一体化されていることを特徴とする中空集成角材を提供することにより、上記目的を達成したものである。
【０００９】
本発明は、前記中空集成角材の製造方法であって、原木を、互いに平行な一対の面と、これらに垂直で且つ互いに平行な他の一対の面とで長手方向に切断して、断面四角形状の芯持ち角材を切り出す工程、芯持ち角材を切り出した後の残りの部分から、断面台形状で、その断面形状の台形の長辺の長さが、前記芯持ち角材の各側面の幅と略等しい長さの４本の棒状材を得る工程、及び、４本の前記棒状材を、前記台形の長辺を形成する面を外側に向けると共に前記台形の短辺を形成する面を内側に向けて配し、隣接する棒状材の、前記台形の斜辺を形成する面同士を接着剤を介して接合させる工程を具備することを特徴とする、中空集成角材の製造方法を提供することにより、上記目的を達成したものである。
【発明の効果】
【００１０】
本発明の中空集成角材及びその製造方法によれば、一本の原木から、所望の角形断面を有する芯持ち角材と、該角材と同寸の角形断面を有する中空集成角材の計二本の角材を得ることができる。
本発明の中空集成角材は、その中空部を配線や配管用に用いることができる。例えば、中空部に電気器具用の配線を通し、中空集成角材の表側から中空部に達する孔をあけ、照明器具あるいは電気設備のスイッチ、コンセント等の端子箱に結線後、孔に嵌め込み固定することにより、電線を露出させることなく配線できる。
【発明を実施するための最良の形態】
【００１１】
図１に示す本発明の好ましい一実施形態に係る中空集成角材１０（以下、「中空集成角材１０」という。）は、例えば木造住宅建築物において柱部材として用いられる角材であって、一辺の長さａが１０５ｍｍの正方形又は略正方形（以下「正方形」とする。）の角形断面を有していると共に、その中央部分には、当該中空集成角材１０の軸方向に貫通する貫通中空部（長手方向に延びる中空部）１１を備えている。
中空集成角材１０は、原木１２〔図２（ａ）参照〕として、直径が例えば１６０〜１８０ｍｍのスギ丸太を用いて形成されたものであり、一本の原木１２から、一辺の長さａ１が１０５ｍｍの芯持ちソリッド材１５〔図２（ｂ）参照〕を切り出す共に、一辺の長さａが１０５ｍｍである同じ寸法の角材を得ることを可能とするものである。
【００１２】
中空集成角材１０は、図１に示すように、断面台形状の４本の棒状材１４（以下「台形ラミナ」という）を用いて形成されている。各台形ラミナ１４は、その断面形状である台形の長辺を形成する面１４ａが、中空集成角材の外表面（長手方向に沿う各側面）を形成しており、その断面形状である台形の短辺を形成する面１４ｂが、貫通中空部１１の内壁面を形成している。
【００１３】
４本の台形ラミナ１４は、隣接する台形ラミナ１４の、台形の斜辺を形成する面１４ｃ同士が接着剤を介して互いに接合されることによって一体化されている。
中空集成角材１０においては、断面形状である台形の長辺とその両側に位置する２つの斜辺それぞれとのなす角度が４５度である。即ち、台形の長辺を形成する面１４ａと、その両側に位置する前記台形の斜辺を形成する面１４ｃ，１４ｃそれぞれとのなす角度θ（図１参照）が、何れも４５度である。
また、隣接する台形ラミナ１４における、台形の長辺を形成する面１４ａは互いに直角をなしており、隣接する台形ラミナ１４における、台形の短辺を形成する面１４ｂも互いに直角をなしている。中空集成角材１０の断面形状及び貫通中空部１１の断面形状は、何れも正方形である。
【００１４】
中空集成角材１０は、例えば、以下に示す作業工程にしたがって、容易且つ効率良く製造することができる。
先ず、図２（ａ）に示す、断面円形状の原木１２から、図２（ｂ）に示す芯持ち角材１５を切り出す作業を行う。かかる切出し作業は、例えばツインソーを用いて、原木１２を、その芯部分１２ａを挟む、互いに平行な一対の切断面１３ａ，１３ａで切断して、それらの外側（表皮側）に位置する部分を切り取り、更に、前記一対の切断面１３ａ，１３ａに垂直で且つ互いに平行な他の一対の切断面１３ｂ，１３ｂで切断して、それらの外側（表皮側）に位置する部分を切り取ることによって行われる。このようにして切り出された芯持ち角材１５は、図２（ｂ）に示すように、切断面１３ａ，１３ｂで切断して生じた、互いに平行な一対の側面１５ａと、切断面１３ｂ，１３ｂで切断して生じた、互いに平行な他の一対の側面１５ｂとを有する。
【００１５】
次に、芯持ち角材１５を切り出した後の残りの辺材１６から台形ラミナ１４を切り出す。各辺材１６は、図２（ｃ）に示すように、切断面１３ａ又は切断面１３ｂで切断して生じた平面１６ａを有している。辺材１６から台形ラミナ１４を切り出すには、図２（ａ）又は（ｃ）に示すように、辺材１６における、前記平面１６ａの幅方向の両端部分から、該平面１６ａに対して、それぞれ４５度の角度を成す一対の切断面１３ｃで斜めに切断して、それぞれの外側（表皮側）に位置する部分を切り取り、さらに、前記平面１６ａに平行で且つ該平面１６ａから木表側（表皮側）に距離ｄだけ離れた切断面１３ｄで切断し、その外側（表皮側）に位置する部分を切り取る。かかる切断作業は、辺材１６をその長手方向に沿って切断し得る各種公知の装置を用いて行うことができ、特に斜め切断を行うことのできる角度調整機能付きの丸鋸または帯鋸を用いることが好ましい。
【００１６】
ここで、台形ラミナ１４の切断面１３ａと切断面１３ｄとの間の距離ｄ（台形ラミナの厚みも同様）は、得ようとする中空集成角材１０の一辺の長さａ（本実施形態では１０５ｍｍ）の２５〜３０％の長さとすることが好ましい。切断面１３ａと切断面１３ｄとの間の距離ｄが、一辺の長さａの２５％を下回ると、中空柱の肉厚が薄くなるため強度保持が難しくなり、一辺の長さａの３０％を超えると、中空部が狭くなるためコンセントやスイッチの端子箱を嵌め込むことが困難になる。
【００１７】
このようにして得られた４本の台形ラミナ１４は、それぞれ、断面台形状の棒状材であり、図３（ａ）に示すように、切断面１３ａ又は１３ｂで切断して生じた側面１４ａと、切断面１３ｄで切断して生じた側面１４ｂと、切断面１３ｃ，１３ｃで切断して生じた一対の側面１４ｃとを有している。これらの側面１４ａ〜ｃは、側面（木裏側の面）１４ａが、断面形状である台形の長辺を形成する面であり、側面１４ｂが、該台形の短辺を形成する面（木表側の面）であり、側面１４ｃ，１４ｃが台形の斜辺を形成する面である。尚、側面１４ａは、前記平面１６ａの全体又は該平面１６ａからその両側縁部分を切断除去した平面からなる。
【００１８】
そして、これら４本の台形ラミナ１４を、図３（ｂ）に示すように、側面１４ａを外側に向け且つ斜めの側面１４ｃに接着剤を塗布した後、これらの台形ラミナ１４を、隣接するラミナ１４の各側面１４ａが直角をなし、また、斜めの側面１４ｃ同士を密着させるようにして、接合一体化させる。これにより、上記構成の中空集成角材１０が得られる。
【００１９】
なお、かかる接合一体化する作業に先立って、台形ラミナ１４を乾燥させる作業や、むら取り加工を施す作業を適宜行うこともできる。
台形ラミナ１４の乾燥方法としては、木材の乾燥方法として従来知られている各種の方法を特に制限なく用いることができ、天然乾燥でも人工乾燥でも良く、両者を組み合わせた方法でも良い。好ましい人工乾燥の方法としては、温度及び湿度を制御可能な乾燥装置内に配置して乾燥させる方法を挙げることができる。ここで、台形ラミナ１４の乾燥は、含水率がそれぞれ１５％以下になるように行うことが好ましい。含水率が１５％以下となるまで乾燥させることにより、台形ラミナ１４同士の接着性を向上させることができ、特に１２％以下となるまで乾燥した場合には、特に強度が優れた中空集成角材１０を得ることができる。
【００２０】
また、むら取り加工を施す作業は、台形ラミナ１４の各面に生じた反りや歪みを除去する加工であり、むら取り加工を施すための手段としては、例えば、むら取りプレーナー、モルダー等の各種公知の装置を用いることができる。むら取り加工は、少なくとも接着面となる、台形ラミナ１４の斜めの切断面１３ｃに対して行うことが好ましいが、本実施形態においては、モルダーを用いて、切断面１３ａ（１３ｂ）や切断面１３ｄを含めて台形ラミナ１４の周面の総てに対してむら取り加工を施している。
【００２１】
さらに、台形ラミナ１４を接合一体化する前に台形ラミナ１４に、反りや曲がり、捻れ等による不良部分が生じている場合には、これらの部分を適宜切断除去し、不良部分を除いた部分のみを、例えばフィンガージョイントを介して長手方向に継いでゆくことにより、所望の長さの台形ラミナ１４とすることができる。これによって、得られた台形ラミナ１４の利用度を高めることが可能になると共に、内部応力の発生を効果的に抑制することが可能になる。またフィンガージョイントが介在することにより、中空集成角材１０の強度が低下しないように、フィンガージョイントは、隣接する台形ラミナ１４の間で千鳥状にずらせて配置することが好ましい。
【００２２】
一本の中空集成角材１０を得るために用いる４本の台形ラミナ１４は、同じ一本の原木１２から得られたものである必要は必ずしもなく、他の原木１２から同様にして得た台形ラミナ１４を組み合わせて一本の中空集成角材としても良い。
台形ラミナ１４の接着に用いる接着剤としては、各種公知の接着剤を用いることができ、例えばユリア樹脂、酢酸ビニル樹脂、水性ビニルウレタン樹脂接着剤等を挙げられるが、特に水性ビニルウレタン樹脂接着剤を用いることが好ましい。
水性ビニルウレタン樹脂接着剤を用いると、特に接着強度が大きいので柱又は梁用の中空集成角材１０として充分な強度が得られると共に、硬化後においても鉄よりも柔らかいので、中空集成角材１０の切断やほぞ加工などの際に工具等を損傷させることを防止できる。更に、水性ビニルウレタン樹脂接着剤は、ホルムアルデヒドなどの化学物質を大気中に放散しない点においても有利である。
【００２３】
これらの接着剤は、台形ラミナ１４を、側面１４ａが互いに直角をなすように組み合わせて密着配置するのに先立って、接着面となる各台形ラミナ１４の傾斜した側面１４ｃに、スプレッダー等の各種公知の塗布装置を用いて接着面に均一に塗布される。４本の台形ラミナ１４が、互いに直角をなすように組み合わせて密着配置された後に、例えばプレス装置により圧締しながら隣接する台形ラミナ１４、１４同士を接着させることにより、中空集成角材として接合一体化されることになる。ここで、プレス装置としては、各種公知のものを用いることができるが、平盤プレスを用いることが好ましい。平盤プレスを用いることにより、接着面の全域に亘って均一な圧力を加えながら接着することができ、強度及び外観に一層優れた中空集成角材１０を製造することができる。尚、接着剤は、接着面の全体に亘って均一に塗布することが好ましい。
【００２４】
圧締する際に、台形ラミナ１４、１４の傾斜した側面１４ｃが滑ってずれることを防止するため、台形の短辺１４ｂの長さを一辺とする正方形の断面で、長さが２０ｃｍほどの銅製角材を台形ラミナ１４、１４の両端に置き、該銅製角材を取り巻くように台形ラミナ１４、１４を密着配置したのち圧締することが、安定して中空集成角材１０を製造することが可能となるので好ましい。なお、銅製角材は、接着剤が硬化後に取り外すものであり、そのため使用に際してはその都度、離型剤を塗布する。離型剤としては、テフロン（登録商標）系あるいはオレフィン系のシート、またはスプレー剤等を挙げることができるが、使い勝手のよいスプレー剤が好ましい。
銅製角材に代わり、同寸の木製角材を用いることもできる。その際は接着剤の硬化後に取り外すことをせず、予め該木製角材の四面に水性ビニルウレタン樹脂接着剤等を塗布することにより、４本の台形ラミナ１４、１４と接合一体化させる。その結果、得られた中空集成角材１０は両端部の２０ｃｍほどが芯まで詰まった角材となるため、通常のソリッド材と同様にホゾなどの仕口加工を行うことが可能となる。
【００２５】
本実施形態の中空集成角材１０によれば、一本の原木から、一辺の長さがａである断面正方形状の芯持ち角材１５を得ることができるとともに、一辺の長さａ１が、芯持ち角材１５の各側面の幅（断面の一辺の長さａ）とほぼ同じである角形断面の中空集成角材１０を得ることができ、計二本の角材を得ることができる。そのため、原木、特に比較的径の細い丸太（原木）を有効活用することができる。また、中空集成角材１０の外面が、台形ラミナ１４の木裏側の面によって形成されているため、芯持ち角材１５の外面と中空集成角材１０の外面とが同様の外観を呈する。そのため、これらを組み合わせて用いることが容易である。
【００２６】
また、本実施形態によれば、中空集成角材１０はその中央部分に、４本の台形ラミナ１４の台形の短辺を形成する面１４ｂによって囲まれる、例えば５０ｍｍ角の正方形の断面形状の貫通中空部１１を有していることにより、１０５ｍｍの角形断面の断面積よりも２３％ほど断面積が減少しており、これによって１０５ｍｍ角のソリッド柱と比較して、材料の軽量化を図ることが可能になる。
【００２７】
さらに、本実施形態によれば、貫通中空部１１は、強度への影響の少ない中空集成角材１０の中央部分に貫通形成されており、当該貫通中空部１１による断面２次モーメントの低減もまた、例えば５０ｍｍ角の正方形の断面形状の場合、５％程度と少ないため、１０５ｍｍ角のソリッド角材と比較して、遜色のない曲げ剛性や座屈強度を保持することが可能となる。
【００２８】
さらにまた、本実施形態によれば、貫通中空部１１は、台形ラミナの台形の短辺を形成する側面１４ｃによって囲まれ、正方形の断面形状となるように形成されているので、これの内周面は凸凹のない平坦な面となっていると共に、配線や配管を挿通しやすく、かつ中空集成角材の表側から中空部に達する孔をあけることにより、電気設備の端子箱を観め込みやすい形状を備えており、これによって、配線や配管用の穴や、電気設備の端子箱用の穴として有効利用することも可能になる。
【００２９】
以上、本発明を、その好ましい一実施形態に基づいて説明したが、本発明は、かかる実施形態に制限されず、本発明の趣旨を逸脱しない範囲内において適宜に変更可能である。例えば、中空集成角材は、一辺が１０５ｍｍの正方形の角形断面を有するものである必要は必ずしもなく、一辺が１０５ｍｍよりも大きいか或いは小さい角形断面を有するものの他、矩形断面を有する中空集成角材として形成することもできる。矩形断面の中空集成角材は、例えば、矩形断面を有する芯持ち角材を原木から切り出した後の辺材から、断面形状の台形の長辺の長さが、芯持ち角材の広幅な方の側面の幅と略等しい長さの断面台形状の２本の棒状材と、断面形状の台形の長辺の長さが、前記芯持ち角材の狭幅な方の側面の幅と略等しい長さの断面台形状の２本の棒状材とを切り出し、これらを、断面形状の台形の斜辺を形成する面同士を接合して一体化させることにより得られる。
さらに中空集成角材は、柱部材の他、梁部材等として用いる角材として形成することもできる。さらにまた、中空集成角材を構成する４本の台形ラミナは、その全てが異なる原木から各々得られたものであっても良い。
【実施例】
【００３０】
以下、実施例に基づき本発明を更に説明する。
〔実施例１〜６〕
径が１６０〜１８０ｍｍのスギ丸太を原木とし、上述の製造方法によって製造された、上記実施形態の中空集成角材１０と同様の構成を備える一辺が１０５ｍｍの正方形断面を有する１０本の中空集成角材を実施例１〜１０の角材として、ＪＡＳ曲げＡ試験による曲げ試験（曲げヤング率の計測）を行い、１０本の曲げヤング率を計測した。
なお、各中空集成角材の貫通中空部は、一辺が５０ｍｍの正方形断面とし、各中空集成角材の長さは２９８０ｍｍとした。また、各中空集成角材を構成する台形ラミナの全てについて、予め曲げヤング率を計測しておき、これらの台形ラミナを４本ずつ組み合わせて中空集成角材を形成した時の理論的な曲げヤング率を、等価断面法を用いて事前に算出しておき、これと上記試験法によって計測した中空集成角材の曲げヤング率を比較することにより、接合一体化が不完全なためにおきる曲げヤング率の低下の有無も調べた。
試験結果を表１に示す。
【００３１】
【表１】
2006082471.tif 000003
【００３２】
表１に示す試験結果を評価するに際し、中空集成角材に対する評価基準がないので、挽き板を積層接着した構造用集成材ＪＡＳ規格を参考にすると、本発明に係る実施例１〜１０の中空集成角材は、同一等級構成構造用集成材のＥ６５−Ｆ２５５にほぼ相当しており、そのことから、構造用に用いることができる強度を有していることが判る。また、異なる曲げヤング率を有する４本の台形ラミナを中空集成角材に構成したときの曲げヤング率は、等価断面法による理論値と実際の計測値が極めてよく一致しており、接合一体化が不完全なためにおきる曲げヤング率の低下は全く見られないことが判る。
【図面の簡単な説明】
【００３３】
【図１】図１は本発明の一実施形態に係る中空集成角材を示す斜視図である。
【図２】図２（ａ）は、本発明の一実施形態に係る中空集成角材を形成するために原木を切断する状況を説明する斜視図であり、図２（ｂ）は原木から切り出した通常の芯持ち角材の断面図であり、図２（ｃ）は原木から芯持ち角材を切り出した後の辺材を示す斜視図である。
【図３】図３（ａ）は原木から、芯持ち角材を切り出した残りの辺材を台形ラミナに成形する状況を説明する断面図であり、図３（ｂ）は台形ラミナが互いに直角となるように向きを合わせて接着一体化する工程を説明するものであり、且つ本発明の一実施形態に係る中空集成角材の断面を示す断面図である。
【符号の説明】
【００３４】
１０  中空集成角材
１１  貫通中空部（長手方向に延びる中空部）
１２  原木
１２ａ  原木の芯部分
１３ａ，１３ａ  互いに平行な一対の面
１３ｂ，１３ｂ  互いに平行な他の一対の面
１４  台形ラミナ（棒状材）
１４ａ  断面形状の台形の長辺を形成する面
１４ｂ  断面形状の台形の短辺を形成する面
１４ｃ  断面形状の台形の斜辺を形成する面
ａ  中空集成角材の一辺の長さ
ａ１  芯持ち角材の一辺の長さ
ｄ  台形ラミナの厚さ
１５  芯持ち角材
１６  辺材
【図１】
2006082471.tif 000004
【図２】
2006082471.tif 000005
【図３】
2006082471.tif 000006
【手続補正書】
【提出日】平成17年10月5日(2005.10.5)
【手続補正１】
【補正対象書類名】明細書
【補正対象項目名】０００５
【補正方法】変更
【補正の内容】
【０００５】
【特許文献１】特開２００４−７４４４４号公報
【特許文献２】特表２００１−５１３０３６号公報